(57)【特許請求の範囲】
【請求項１】
第一端部と、前記第一端部の反対側の第二端部と、第一および第二側面部材であって、前記第一および第二側面部材の各々が、外面と、内面と、前記外面から前記内面に延在し、前記第一および前記第二端部の間に設けられる細長い溝とを含んでおり、前記第一および第二側面部材はそれら内面の間に空間を形成する、第一および第二側面部材と、前記第二端部に配置されており、第一および第二凹型曲面を含む基礎部分であって、前記第一および第二凹型曲面の各々が、前記第一および第二側面部材のうちの対応する１つの外面に隣接して配置されており、前記基礎部分は、前記第一および第二凹型曲面の中間に設置されて、前記空間に延在する第一溝を含む、基礎部分と、前記第一端部に配置されており、第二溝を含み、前記空間に延在する取り付け部分と、を有する筐体と、
前記第一端部に近接して前記筐体に回転自在に取り付けられており、前記筐体の前記第一および第二側面部材の間に配置されるボルトであって、前記ボルトは、曲線部分と、前記曲線部分上に設置された第一端部と、直線部分と、前記直線部分に設置された第二端部とを含んでおり、前記ボルトは、前記ボルトの前記直線部分が前記空間の中を延在し、前記ボルトの前記第二端部が前記筐体の前記取り付け部分の前記第二溝の中を延在し、そこから突出する第一位置と、前記ボルトの前記曲線部分が前記第二溝の中を延在し、そこから突出し、前記直線部分が前記第二溝の外に配置される第二位置との間で回転自在に移動可能である、ボルトと、
前記筐体に回転自在に取り付けられる引き金であって、前記引き金は、前記筐体の前記基礎部分の前記第一溝から突出する第一端部と、第二端部と、前記引き金の前記第二端部の中に形成される引き金溝とを含む、引き金と、
第一および第二圧縮バネであって、その一方は前記筐体の前記第一凹型曲面の中に配置され、その他方は前記筐体の前記第二凹型曲面の中に配置され、前記第一および第二圧縮バネのそれぞれは端部キャップを含む、第一および第二圧縮バネと、
前記第一および第二圧縮バネの前記端部キャップおよび前記引き金の前記引き金溝の中を延在するピンおよびローラーであって、前記ピンおよびローラーは、前記筐体の前記第一および第二側面部材の前記細長い溝の中に摺動自在に配置される、ピンおよびローラーと、
を備えており、
前記引き金は、前記ボルトがその第一位置にある時に前記ピンおよびローラーは前記ボルトに係合される第一位置と、前記ピンおよびローラーは前記ボルトとの係合が解除される第二位置との間で移動可能である、
掛け金。
【請求項２】
前記ボルトは、その直線部分に形成され、前記曲線部分の一方の端部に隣接した刻み目を含み、前記ボルトの刻み目は、前記ボルトがその第一位置にある時に前記ピンおよびローラーを受け止めるように構成される、請求項１の掛け金。
【請求項３】
前記ボルトは、リベットによって前記筐体に回転自在に取り付けられる、請求項２の掛け金。
【請求項４】
前記ボルトは、前記ボルトの前記第一端部の中に形成される溝、および前記リベット上かつ前記ボルトの前記溝の中に配置されるねじりバネを含む、請求項３の掛け金。
【請求項５】
前記引き金は、リベットによって前記筐体に取り付けられる、請求項４の掛け金。
【請求項６】
前記掛け金は、その第一位置からその第二位置に引き金を回転させるように前記引き金の前記第一端部に力を印加し、これによって、前記ボルトの前記ボルト刻み目から前記ピンおよびローラーの係合を解除することで、手動で開けられるように構成される、請求項５の掛け金。
【請求項７】
前記ボルトは、前記ねじりバネによってその第二位置に保持される、請求項６の掛け金。
【請求項８】
前記ボルトは、前記ボルトの前記第二端部に圧力を掛け、前記ピンおよびローラーと接触するように前記ボルトを回転させ、前記ピンおよびローラーが前記ボルトの前記刻み目に係合するまで前記ピンおよびローラーを押すことで、その第二位置からその第一位置に回転されるように構成される、請求項７の掛け金。
【請求項９】
前記ボルトは、前記ボルトが前記筐体の前記側面部材の細長い溝に前記ピンおよびローラーを押し、前記圧縮バネによって負荷が掛かるように、規定負荷が前記ボルトの第一端部に掛かった時にその第一位置からその第二位置に回転されるように構成される、請求項４の掛け金。
【請求項１０】
前記ボルトは、前記ねじりバネによってその第二位置に保持される、請求項９の掛け金。
【請求項１１】
前記ボルトは、前記ボルトの前記第二端部に圧力を掛け、前記ピンおよびローラーと接触するように前記ボルトを回転させ、前記ピンおよびローラーが前記ボルトの前記刻み目に係合するまで前記ピンおよびローラーを押すことで、その第二位置からその第一位置に回転されるように構成される、請求項１０の掛け金。
【請求項１２】
第一端部と、前記第一端部の反対側の第二端部と、第一および第二側面部材であって、前記第一および第二側面部材の各々が、外面と、内面と、前記外面から前記内面に延在し、前記第一および前記第二端部の間に設けられる細長い溝とを含んでおり、前記第一および第二側面部材はそれら内面の間に空間を形成する、第一および第二側面部材と、前記第二端部に配置されており、第一および第二凹型曲面を含む基礎部分であって、前記第一および第二凹型曲面の各々が、前記第一および第二側面部材のうちの対応する１つの外面に隣接して配置されており、前記基礎部分は、前記第一および第二凹型曲面の中間に設置されて、前記空間に延在する第一溝を含む、基礎部分と、前記第一端部に配置されており、第二溝を含み、前記空間に延在する取り付け部分と、を有する筐体と、
前記第一端部に近接して前記筐体に回転自在に取り付けられており、前記筐体の前記第一および第二側面部材の間に配置されるボルトであって、前記ボルトは、曲線部分と、前記曲線部分上に設置された第一端部と、直線部分と、前記直線部分に設置された第二端部とを含んでおり、前記ボルトは、前記ボルトの前記直線部分が前記空間の中を延在し、前記ボルトの前記第二端部が前記筐体の前記取り付け部分の前記第二溝の中を延在し、そこから突出する第一位置と、前記ボルトの前記曲線部分が前記第二溝の中を延在し、そこから突出し、前記直線部分が前記第二溝の外に配置される第二位置との間で回転自在に移動可能である、ボルトと、
前記筐体の前記第一および第二側面部材の前記細長い溝の中に摺動自在に配置される、ピンおよびローラーと、
を備えており、
前記ボルトは、その直線部分に形成され、前記曲線部分の一方の端部に隣接した刻み目を含み、前記ボルトの刻み目は前記ボルトがその第一位置にある時に前記ピンおよびローラーを受け止めるように構成されており、
前記ボルトは、リベットによって前記筐体に回転自在に取り付けられており、
前記ボルトは、前記ボルトの前記第一端部の中に形成される溝、および前記リベット上かつ前記ボルトの前記溝の中に配置されるねじりバネを含む、掛け金。
【請求項１３】
前記ボルトは、前記ねじりバネによってその第二位置に保持される、請求項１２の掛け金。
【請求項１４】
第一および第二圧縮バネをさらに含んでおり、その圧縮バネの１つが前記筐体の前記第一凹型曲面の中に配置され、その圧縮バネの他方が前記筐体の前記第二凹型曲面の中に配置され、前記第一および第二圧縮バネのそれぞれは端部キャップを含む、請求項１３の掛け金。
【請求項１５】
前記ボルトは、前記ボルトが前記筐体の前記側面部材の細長い溝に前記ピンおよびローラーを押し、前記圧縮バネによって負荷が掛かるように、規定負荷が前記ボルトの第一端部に掛かった時にその第一位置からその第二位置に回転されるように構成される、請求項１４の掛け金。
【請求項１６】
前記ボルトは、前記ボルトの前記第二端部に圧力を掛け、前記ピンおよびローラーと接触するように前記ボルトを回転させ、前記ピンおよびローラーが前記ボルトの前記刻み目に係合するまで前記ピンおよびローラーを押すことで、その第二位置からその第一位置に回転されるように構成される、請求項１５の掛け金。
【発明の詳細な説明】
【技術分野】
【０００１】
[関連出願の相互参照]
本発明は、「ＰＲＥＳＳＵＲＥ  ＲＥＬＩＥＦ  ＬＡＴＣＨ（圧力解放掛け金）」という名称の２０１５年８月４日出願の共同所有、同時係属仮出願第６２／２００，９７１号に関し、その恩恵を主張し、その全開示内容が引用により援用される。
【０００２】
本発明は掛け金に関し、より詳しくは圧力解放掛け金に関するものである。
【背景技術】
【０００３】
ハッチ、ドア、アクセスパネル、エンジンカウリング、およびレードームといった航空宇宙機体の外面に設置される取り外し可能かつ移動可能な要素は掛け金を使用する。望ましくは、手動で開閉でき、規定負荷に達した時に自動的に開くことができる掛け金である。
【発明の概要】
【０００４】
一実施形態では、掛け金は以下を含む：第一端部、前記第一端部の反対側の第二端部、第一および第二側面部材（これらのそれぞれは、外面、内面、および前記外面から前記内面に延在し、前記内面間の細長い溝を含み、前記第一および第二側面部材はその内面の間に空間を形成する）、前記第二端部に配置され、第一および第二凹型曲面（これらのそれぞれは、前記第一および第二側面部材のうちの対応する１つの外面に隣接して配置される）を含む基礎部分（前記基礎部分は前記第一および第二凹型曲面の中間に設置される第一溝を含み、前記空間に延在する）、および前記第一端部に配置され、前記空間に延在する第二溝を含む取り付け部分を有する筐体；その前記第一端部に近接し、前記筐体の前記第一および第二側面部材の間に配置された前記筐体に回転自在に取り付けられるボルト、ここで前記ボルトは曲線部分、前記曲線部分に位置する第一端部、直線部分、および前記直線部分に設置される第二端部を含み、前記ボルトは第一位置（この位置で、前記ボルト前記直線部分が前記空間の中を延在し、前記ボルトの前記第二端部は前記筐体の前記取り付け部分の前記第二溝の中を延在し、そこから突出する）と第二位置（この位置で、前記ボルトの曲面を成す部分が前記第二溝の中を延在し、そこから突出する、前記直線部分は前記第二溝の外に配置される）の間で回転自在に移動できるようになっている；前記筐体に回転自在に取り付けられる引き金、ここで前記引き金は前記筐体の前記基礎部分の前記第一溝から突出する第一端部、第二端部、および引き金の前記第二端部の中に形成される引き金溝を含む；第一および第二圧縮バネ、ここでその１つは前記筐体の前記第一凹型曲面の中に配置され、その他方は前記筐体の前記第二凹型曲面の中に配置され、前記第一および第二圧縮バネのそれぞれは端部キャップを含む；前記第一および第二圧縮バネの前記端部キャップおよび前記引き金の前記引き金溝の中を延在するピンおよびローラー、ここで、前記ピンおよび前記ローラーは前記筐体の前記第一および第二側面部材の前記細長い溝の中に摺動自在に配置されている。前記引き金は第一位置（この位置で、前記ボルトがその第一位置にある時に前記ピンおよびローラーは前記ボルトと係合する）と第二位置（この位置で、前記ピンおよびローラーは前記ボルトとの係合が解除される）の間で移動可能である。
【０００５】
一実施形態では、前記ボルトはその直線部分に形成され、前記曲面を成す部分の一方の端部に隣接した刻み目を含み、ここで、前記ボルトの刻み目は前記ボルトがその第一位置にある時に前記ピンおよびローラーを受け止めるように構成される。一実施形態では、前記ボルトはリベットによって前記筐体に回転自在に取り付けられる。一実施形態では、前記ボルトは、前記ボルトの前記第一端部の中に形成される溝、および前記リベット上かつ前記ボルトの前記溝の中に配置されるねじりバネを含む。一実施形態では、前記引き金はリベットによって前記筐体に取り付けられる。一実施形態では、前記掛け金は、その第一位置からその第二位置に引き金を回転させるように前記引き金の前記第一端部に力を印加し、これによって、前記ボルトの前記ボルト刻み目から前記ピンおよびローラーの係合を解除することで、手動で開けられるように構成される。一実施形態では、前記ボルトは前記ねじりバネによってその第二位置に保持される。一実施形態では、前記ボルトは、前記ボルトの前記第二端部に圧力を掛け、前記ピンおよびローラーと接触するように前記ボルトを回転させ、前記ピンおよびローラーが前記ボルトの前記刻み目に係合するまで前記ピンおよびローラーを押すことで、その第二位置からその第一位置に回転するように構成される。一実施形態では、前記ボルトは、前記ボルトが前記筐体の前記側面部材の細長い溝に前記ピンおよびローラーを押し、前記圧縮バネによって負荷が掛かるように、規定負荷が前記ボルトの第一端部に掛かった時にその第一位置からその第二位置に回転するように構成される。一実施形態では、前記ボルトは前記ねじりバネによってその第二位置に保持される。一実施形態では、前記ボルトは、前記ボルトの前記第二端部に圧力を掛け、前記ピンおよびローラーと接触するように前記ボルトを回転させ、前記ピンおよびローラーが前記ボルトの前記刻み目に係合するまで前記ピンおよびローラーを押すことで、その第二位置からその第一位置に回転されるように構成される。
【０００６】
別の実施形態では、掛け金は以下を含む：第一端部、前記第一端部の反対側の第二端部、第一および第二側面部材（これらのそれぞれは、外面、内面、および前記外面から前記内面に延在し、前記内面間の細長い溝を含み、前記第一および第二側面部材はその内面の間に空間を形成する）、前記第二端部に配置され、第一および第二凹型曲面（これらのそれぞれは、前記第一および第二側面部材のうちの対応する１つの外面に隣接して配置される）を含む基礎部分（前記基礎部分は前記第一および第二凹型曲面の中間に設置される第一溝を含み、前記空間に延在する）、および前記第一端部に配置され、前記空間に延在する第二溝を含む取り付け部分を有する筐体；その前記第一端部に近接し、前記筐体の前記第一および第二側面部材の間に配置され前記筐体に回転自在に取り付けられるボルト、ここで前記ボルトは曲線部分、前記曲線部分に設置される第一端部、直線部分、および前記直線部分に設置される第二端部を含み、前記ボルトは第一位置（この位置で、前記ボルト前記直線部分が前記空間の中を延在し、前記ボルトの前記第二端部は前記筐体の前記取り付け部分の前記第二溝の中を延在し、そこから突出する）と第二位置（この位置で、前記ボルトの曲面を成す部分が前記第二溝の中を延在し、そこから突出する前記直線部分は前記第二溝の外に配置される）の間で回転自在に移動できるようになっている；および前記筐体の前記第一および第二側面部材の前記細長い溝の中に摺動自在に配置されるピンおよびローラー。
【図面の簡単な説明】
【０００７】
【図１】図１は、閉鎖位置で示された圧力解放掛け金の一実施形態の上面斜視図である。
【図２】図２は、図１に示された前記圧力解放掛け金の底面斜視図である。
【図３】図３は、図１に示された前記圧力解放掛け金の側面断面図である。
【図４】図４は、その閉鎖位置から前記掛け金を開くための領域を示す、図１に示された前記圧力解放掛け金の上面斜視図である。
【図５】図５は、前記掛け金が開放位置で示された、図１から３に示された前記圧力解放掛け金の上面斜視図である。
【図６】図６は、図５に示された前記圧力解放掛け金の側面断面図である。
【図７】図７は、圧下位置で示された前記掛け金によって利用される引き金と共に、図２に示された前記圧力解放掛け金の上面斜視図である。
【発明を実施するための形態】
【０００８】
図１から３に示した通り、一実施形態では、圧力解放掛け金１０は、第一端部１４および前記第一端部１４の反対側の第二端部１６を有する筐体１２を含む。前記筐体１２は第一および第二側面部材１８、２０を含み、そのそれぞれは前記第一端部１４から前記第二端部１６に延在し、外面２１、前記外面２１の反対側の内面２３、前記外面２１から前記内面２３に延在し、前記第一および第二端部１４、１６の中間の細長い溝２２を含む。前記側面部材１８、２０のそれぞれは、前記外面２１から前記内面２３に延在する第一穴２６および前記第一端部１４に近接して設置され、前記外面２１から前記内面２３に延在する第二穴２８を有するタブ２４をさらに含む。空間３０は前記第一および第二側面部材１８、２０の前記内面２３の間に形成される。一実施形態では、前記筐体１２はその第二端部１６に形成された基礎部分３２をさらに含む。前記基礎部分３２は第一および第二凹型曲面３４、３６を含み、そのそれぞれが前記第一および第二側面部材１８、２０のうちの対応する１つの前記外面２１の隣接に配置される。前記基礎部分３２は、前記凹型曲面３４、３６の中間に設置され、前記基礎部分３２の上面３９から前記空間３０に延在する溝３８をさらに含む。一実施形態では、前記溝３８の形は実質的に長方形をしている。前記筐体１２は、前記取り付け部分４０の上面４３から前記空間３０に延在する溝４２を有する取り付け部分４０および複数の取り付け穴４４をさらに含む。一実施形態では、前記溝４２の形は実質的に長方形をしている。
【０００９】
一実施形態では、前記圧力解放掛け金１０はボルト４６を含む。一実施形態では、前記ボルト４６はＪ字形である。別の実施形態では、前記ボルト４６はＵ字形またはその他の適切な形状を有してもよい。一実施形態では、前記ボルト４６は弓状／曲線部分５０に設置された第一端部４８および直線部分５４に設置された第二端部５２を含む。一実施形態では、前記ボルト４６は、直線部分５４の中で、前記曲線部分５０の一方の端部の隣接に形成されたボルト刻み目５６を含む。溝５８は、前記ボルト４６の前記第一端部４８の中に形成される。一実施形態では、前記穴２８に中に挿入されるリベット６０によって前記ボルト４６の前記第一端部４８が前記筐体１２の前記第一端部１４に取り付けられるように、前記ボルト４６は前記筐体１２に回転自在に取り付けられる。一実施形態では、前記ボルト４６が第一位置にある時に前記ボルト４６の前記直線部分５４は前記空間３０の中を延在し、前記ボルト４６がその第一位置にある時に前記４６の前記第二端部５２は取り付け部分４０の前記溝４２の中を延在し、そこから突出する。ねじりバネ６２は、リベット６０ａ上および前記ボルト４６の前記溝５８の中に配置される。
【００１０】
一実施形態では、前記圧力解放掛け金１０は引き金６４を含む。一実施形態では、前記引き金６４の形は実質的に「Ｚ」字形をしている。別の実施形態では、前記引き金６４はその他の適切な形状および大きさを含む。一実施形態では、前記引き金６４は第一端部６６および第二端部６８を含む。前記引き金６４の前記第二端部６８は引き金溝７０および穴７２を含む（図３を参照）。一実施形態では、前記引き金６４は、前記穴７２の中を延在する別のリベット６０ｂおよび前記引き金穴７０および前記側面部材１８、２０の前記細長い溝２２の中を延在して取り付けられるローラー７６を有するピン７４によって前記引き金６４の前記第二端部６８を前記筐体１２の前記タブ２４の前記穴２６に取り付けられるように、前記筐体１２に回転自在に取り付けられる。前記引き金６４の前記第一端部６６は、前記基礎部分３２の前記溝３８の中を延在し、そこから突出する。一実施形態では、前記ピン７４および前記ローラー７６の組み合わせにより、前記掛け金１０がその閉鎖位置にある時に前記ボルト４６の前記ボルト刻み目５６に係合する大きさおよび形状が構成される。
【００１１】
一実施形態では、前記圧力解放掛け金１０は前記第一および第二圧縮バネ７８、８０を含み、そのそれぞれは前記筐体１２の前記基礎部分３２の凹型曲面３４、３６のうちの対応する１つの中に配置される。前記バネ７８、８０のそれぞれの一方の端部は前記基礎部分３２の凹型曲面３４、３６のうちの対応する１つの後部内側部分８１に対して配置される一方で、前記バネ７８、８０のそれぞれの他方の端部はそこに取り付けられた対応する側面キャップ８２を含み、これは前記ピン7４および前記ローラー７６の組み合わせを受け止める。
【００１２】
図４は、開くことができる前記掛け金１０の領域を示す。すなわち、前記掛け金１０は前記引き金６４の前記第一端部６６を人の指（または他の手段）によって押すことにより手動で開くことができ、あるいは前記ボルト４６の前記第一端部４８に対する負荷が規定負荷に到達すると自動的に開くことができる。
【００１３】
図５および６に示した通り、一実施形態では、前記掛け金１０は規定負荷時にその第一閉鎖位置からその第二開放位置に開くことができる。「規定負荷」の例として、エンジン室内部に圧力が蓄積し、規定圧力に到達すると、前記掛け金１０は圧力を解放するためにエンジン室ドアを開くように押す。規定負荷に到達すると、前記ボルト４６は時計回りに回転し、前記筐体１２の前記側面部材１８、２０の細長い溝２２の中の前記ピン７４によって前記筐体１２の前記第二端部１８、２０に向けて導かれ、前記ボルト４６が前記ボルト刻み目５６との係合が解除され、停止するまで、前記圧縮バネ７８、８０によって負荷が掛けられる前記ローラー７6を押す。前記ボルト４６は、それに作用している前記ねじりバネ６２の負荷が掛かっている時にその開放位置に保持される。この関連で、前記引き金溝７０は前記ピン７４および前記ローラー７６が一方向のみに移動させる。この方向は、前記ボルト４６から離れ、前記筐体１２の前記第二端部１６に向かう方向である。
【００１４】
図７に示した通り、一実施形態では、前記掛け金１０をその第一閉鎖位置からその第二開放位置に手動で開くことができる。前記リベット６０ｂの周囲を旋回し、反時計回りに回転する前記引き金６４の前記第一端部６６に指で圧力を掛けることで、その閉鎖位置から、前記掛け金１０を開くことができる。この関連で、前記引き金６４は前記ボルト４６の前記ボルト刻み目５６から前記ピン７４および前記７６をお互いの係合が解除されるまで引き離し、これによって、前記ねじりバネ６２の負荷が掛かっている状態で前記ボルト４６が時計回りに自動的に回転できるようになり、開放位置に保持される。
【００１５】
一実施形態では、指による手動で、前記リベット６０ａの周囲を旋回する前記ボルト４６の前記第二端部５２に圧力を掛けて、反時計回りに回転させることで前記掛け金１０をその開放位置から閉じることができる。この関連で、前記ボルト４６が前記ローラー７６と接触する時、前記ボルト４６は、前記ローラー７６が前記ボルト４６の前記ボルト刻み目５６に係合するまで前記ピン７４およびローラー７６を押す。その後、前記ボルト４６は閉鎖位置に保持される。
【００１６】
本願明細書で述べられる実施形態は単に典型的な事例にすぎず、当業者は本発明の精神および範囲から逸脱することなく、多くの変更および改変を施すことができる。そのような変更および改変のすべてが、添付請求項で定義されるように、本発明の範囲内に含まれることを意図している。
【図１】
0006522230.tif 000002
【図２】
0006522230.tif 000003
【図３】
0006522230.tif 000004
【図４】
0006522230.tif 000005
【図５】
0006522230.tif 000006
【図６】
0006522230.tif 000007
【図７】
0006522230.tif 000008